(57)【要約】【課題】設置される基板と平行にプラグを挿抜可能で、挿入されたプラグに外力が作用しても基板とのはんだ付け部が破壊されにくいジャックコネクタ及びこれを備えた携帯端末を提供する。【解決手段】金属シェル１の一端部に固定され、基板２０から所定の距離を隔てて基板２０と略平行に配置される平板部３ａを備え、金属シェル１の他端側から挿入されたプラグ３０の端面が底面に突き当たるハウジングモールド３と、平板部３ａに固定される一端側の接点部４ｃと基板２０に固定される他端側のテイル部４ａとが中間部４ｂに対してそれぞれ略直角に折り曲げられた形状の端子４とを有し、端子４の接点部４ｃは、ハウジングモールド３の底面を貫通して金属シェル１の一端部に到達し、該一端部で曲がって中間部４ｂへ連なっており、端子４の中間部４ｂは、接点部４ｃとの境界近傍においてのみハウジングモールド３と当接する。【選択図】図１
2009266411.tif 000002
【特許請求の範囲】
【請求項１】
プラグの挿抜方向が基板に対して平行となるように設置されるジャックコネクタであって、
両端が開口した筒状のシェルと、
前記シェルの一端部に固定され、前記基板から所定の距離を隔てて前記基板と略平行に配置される平板部を備え、前記シェルの他端側から挿入されたプラグの端面が底面に突き当たるハウジングモールドと、
前記ハウジングモールドの平板部に固定される一端側の接点部と前記基板に固定される他端側の固定部とが中間部に対してそれぞれ略直角に折り曲げられた形状の端子とを有し、
前記端子の接点部は、前記ハウジングモールドの底面を貫通して前記シェルの一端部に到達し、該一端部で折れ曲がって前記中間部へ連なっており、
前記端子の中間部は、前記接点部との境界近傍においてのみ前記ハウジングモールドと当接することを特徴とするジャックコネクタ。
【請求項２】
前記端子がクランク状に折り曲げられていることを特徴とする請求項１記載のジャックコネクタ。
【請求項３】
前記端子がコの字形状に折り曲げられていることを特徴とする請求項１記載のジャックコネクタ。
【請求項４】
前記シェルの一端部の少なくとも一部が折り曲げられて形成された保持部によって前記ハウジングモールドが前記シェルの一端部に固定されたことを特徴とする請求項１から３のいずれか１項記載のジャックコネクタ。
【請求項５】
前記端子と前記ハウジングモールドとが一体成形されたことを特徴とする請求項１から４のいずれか１項記載のジャックコネクタ。
【請求項６】
請求項１から５のいずれか１項記載のジャックコネクタを備えた携帯端末。
【発明の詳細な説明】
【技術分野】
【０００１】
本発明は、ケーブルプラグなどが挿入されるジャックコネクタに関し、特に、挿入されたプラグに外力が作用しても基板とのはんだ付け部が破壊されにくいジャックコネクタ及びこれを備えた携帯端末に関する。
【背景技術】
【０００２】
図９に示すように、ジャックコネクタは、端子を保持固定したハウジングモールド１３の周りを金属シェル１１で覆った構造である。また、図１０に示すように、金属シェル１１の一部を曲げて保持部１２とすることでハウジングモールド１３を金属シェル１１に固定している。端子１４の一端側はプラグ挿入方向と平行に伸びて接点部１４ｃを形成しており、プラグの端子と接触して電気的結合を実現する。端子１４の他端にはテイル部１４ａが形成され、この部分が基板２０上の配線パターンへはんだ付けされる。ハウジングモールド１３は、基板２０と略平行な平板部１３ａを備えており、平板部１３ａに端子１４の接点部１４ｃが固定されている。さらに、金属シェル１１は、基板２０に対して平行に形成されたはんだ付け切片１５や、垂直に形成されたスルーホールペグ１６などを介して基板２０に固定される。
【０００３】
プラグは金属シェル１１の開口部から挿入されるが、確実な嵌合を実現するために、プラグの挿入部の寸法とジャックコネクタの内側の奥行き寸法とでは、挿入部の方が長く設定されるのが一般的である。
【０００４】
このため、プラグが勢いよく挿入された場合や、挿入した後でプラグが強い外力を受けた場合（落下による衝撃など）、プラグ端面はジャックコネクタのハウジングモールド１３の底面に当たり、金属シェル１１からハウジングモールド１３を押し出そうとする。ハウジングモールドは金属シェル１１の一部が曲げられて形成された保持部１２によって固定されているが、強い力が加わると保持部１２自体が変形し、ハウジングモールド１３が金属シェル１１から抜け出ることがある。この結果、端子１４とテイル部１４ａとにストレスが加わりはんだ剥離が生じる。
【０００５】
保持部１２の数を増やしたり、保持部１２の厚さや幅を大きくして保持部１２の強度を高め、ハウジングモールド１３が抜け出ないようにする手法も考えられるが、小型化や軽量化が要求されるコネクタでは限界があり、保持部１２に十分な強度を持たせるのが困難であった。
【０００６】
コネクタの強度を高めることに関連する技術としては特許文献１に開示される「コネクタ一体型電子機器」がある。特許文献１に開示される発明は、コネクタピンの一端をケースに拘束しないようにすることによって、温度変化に伴う収縮によって応力が発生した場合に、コネクタピンに加わる応力を緩和するものである。
【特許文献１】特開２００３−２４３０８７号公報
【発明の開示】
【発明が解決しようとする課題】
【０００７】
しかし、特許文献１に開示される発明は、基板に対してコネクタピンが垂直に配置される構造であり、コネクタピンが直棒状であることを前提としている。すなわち、特許文献１に開示される発明は、図１０に示すように端子を折り曲げて基板と平行に配置する構造のジャックコネクタには適用できない。
【０００８】
本発明は係る問題に鑑みてなされたものであり、設置される基板と平行にプラグを挿抜可能で、挿入されたプラグに外力が作用しても基板とのはんだ付け部が破壊されにくいジャックコネクタ及びこれを備えた携帯端末を提供することを目的とする。
【課題を解決するための手段】
【０００９】
上記目的を達成するため、本発明は、第１の態様として、プラグの挿抜方向が基板に対して平行となるように設置されるジャックコネクタであって、両端が開口した筒状のシェルと、シェルの一端部に固定され、基板から所定の距離を隔てて基板と略平行に配置される平板部を備え、シェルの他端側から挿入されたプラグの端面が底面に突き当たるハウジングモールドと、ハウジングモールドの平板部に固定される一端側の接点部と基板に固定される他端側の固定部とが中間部に対してそれぞれ略直角に折り曲げられた形状の端子とを有し、端子の接点部は、ハウジングモールドの底面を貫通してシェルの一端部に到達し、該一端部で折れ曲がって中間部へ連なっており、端子の中間部は、接点部との境界近傍においてのみハウジングモールドと当接することを特徴とするジャックコネクタを提供するものである。
【００１０】
また、上記目的を達成するため、本発明は、第２の態様として、上記本発明の第１の態様に係るジャックコネクタを備えた携帯端末を提供するものである。
【発明の効果】
【００１１】
本発明によれば、設置される基板と平行にプラグを挿抜可能で、挿入されたプラグに外力が作用しても基板とのはんだ付け部が破壊されにくいジャックコネクタ及びこれを備えた携帯端末を提供できる。
【発明を実施するための最良の形態】
【００１２】
〔第１の実施形態〕
本発明を好適に実施した第１の実施形態について説明する。
図１に、本実施形態に係るジャックコネクタ１００の外観を示す。また、図２に、本実施形態に係るジャックコネクタ１００の断面を示す。
金属シェル１は、両端が開口した筒状である。開口の一方には合成樹脂で成型されたハウジングモールド３が差し込まれ、金属シェル１の一部を曲げた保持部２によるかしめで金属シェル１とハウジングモールド３とが固定されている。金属シェル１は、公知の方法（例えば、図９に示したようなはんだ付け切片やスルーホールペグを用いる方法）で基板２０に固定されるが、固定の方法は任意であるため、固定のための構造の図示は省略している。
【００１３】
端子４は、金属で形成されており、ハウジングモールド３の底面を貫通するように設けられた孔に圧入保持されるか、ハウジングモールド３と一体成形されることによって固定されている。
【００１４】
端子４の一端側はプラグ挿入方向と平行に伸びて接点部４ｃを形成しており、プラグの端子と接触して電気的結合を実現する。他端側は、ハウジングモールド３から突き出たところで基板２０側に曲げられて中間部４ｂとなっている。曲げ部分の近傍では端子４はハウジングモールド３と接しており端子４の振れを抑制している。
【００１５】
ハウジングモールド３は、基板２０と略平行な平板部３ａを備えており、平板部３ａに端子４の接点部４ｃが固定されている。また、ハウジングモールド３には、端子４が曲げ部分よりも基板２０に近い箇所で接触しないように凹みが設けられて隙間５が形成されている。基板２０の面に達した端子４は、はんだ付け面積を大きくするために基板面と平行に折り曲げられてテイル部４ａが形成されており、テイル部４ａが基板２０上の配線パターンへはんだ付けされる。すなわち、端子４は、中間部４ｂの一端側の接点部４ｃと他端側のテイル部４ａとが、中間部４ｂに対してそれぞれ略直角に曲げられた形状である。
【００１６】
図３に示すように、ジャックコネクタ１００は、充電用プラグの差し込み用などとして携帯端末２００に搭載される。
【００１７】
ジャックコネクタ１００にプラグを挿入すると、図４に示すようにプラグ３０の端面とハウジングモールド３の底面とが接触する。プラグ３０の端面とハウジングモールド３の底面とが接触した状態で落下などによってプラグ３０に強い外力が加わると、その力はハウジングモールド３の底面に伝わる。結果、ハウジングモールド３は外力が加わった方向に動こうとするが、金属シェル１に形成された保持部２によってその動きが規制される。しかし、保持部２の耐荷重強度を超える力が加わった場合は、保持部２は耐えきれず変形し、保持部２が変形した分ハウジングモールド３が移動し、その分だけ端子４も変形する。
【００１８】
図１０に示した構造のジャックコネクタは、端子１４の基板２０と垂直になっている部分（中間部）１４ｂの全体がハウジングモールド１３と当接しているため、ハウジングモールド１３が移動すると、端子１４もその動きに追従してしまう。すなわち、端子１４を移動させようとする力によって生じる応力がテイル部１４ａに直接伝わってしまっていた。
一方、本実施形態においては、端子４の中間部４ｂが一部分のみ（曲げ部分の近傍のみ）ハウジングモールド３と当接しており、他の部分は当接していない。また、端子４は金属材料で形成されているため、ある程度のバネ性を有している。このため、ハウジングモールド３が動き出しても、端子４は一部分が変形して曲げ角度が変わるのみで移動はしない。このため、テイル部４ａには端子４を移動させようとする力によって生じる応力は伝わりにくい。
【００１９】
すなわち、図２に示したように、端子４とハウジングモールド３との間に隙間５が存在しているため、ハウジングモールド３が金属シェル１から抜け出るように動いた場合には、クランク状に曲げられている端子４はＺ字状に変形する。よって、テイル部４ａのはんだ付け面にかかるストレスが軽減される。
【００２０】
このように、本実施形態に係るジャックコネクタは、挿入されたプラグに外力が作用しても基板とのはんだ付け部が破壊されにくい。
【００２１】
〔第２の実施形態〕
本発明を好適に実施した第２の実施形態について説明する。
図５に、本発明を好適に実施した第２の実施形態に係るジャックコネクタ１００の構成を示す。第１の実施形態とほぼ同様の構造であるが、テイル部４ａが逆方向に曲げられている点が相違する。すなわち、第１の実施形態においては、テイル部４ａはプラグの挿入方向に折り曲げられていたが、本実施形態ではテイル部４ａはプラグの抜き取り方向に折り曲げられている。このため、ハウジングモールド３が金属シェル１から抜け出て端子４が変形を始めると、第１の実施形態の構成では中間部４ｂとテイル部４ａとのなす角度が９０度よりも小さくなるように変形するのに対して、本実施形態では中間部４ｂとテイル部４ａとのなす角度が大きくなるように変形する。
【００２２】
中間部４ｂとテイル部４ａとの角度が小さくなるように変形させる場合の変形抵抗は、中間部４ｂとテイル部４ａとの角度を大きく変形させる場合の変形抵抗よりも大きい。従って、図６（ａ）に示すように、第１の実施形態の構成では端子４が変形せずにテイル部４ａが基板２０から剥離してしまう大きさの外力が作用した場合でも、図６（ｂ）に示すように本実施形態の構成では端子４を確実に変形させることができる。これにより、テイル部４ａが基板２０から剥離してしまうことを防止できる。
【００２３】
また、テイル部４ａは金属シェル１から突出しないため、第１の実施形態と比較してジャックコネクタ１００を実装するのに要する面積を小さくできる。
【００２４】
本実施形態に係るジャックコネクタは、第１の実施形態に係るジャックコネクタと同様に、挿入されたプラグに外力が作用しても基板とのはんだ付け部が破壊されにくい。
【００２５】
なお、上記各実施形態は本発明の好適な実施の一例であり、本発明はこれらに限定されることはない。
例えば、上記実施形態においては金属シェル１の端部が折り曲げられることによって保持部２が形成された構成を例として説明したが、図７に示すように、金属シェル１の端部以外の部分が折り曲げられることによって保持部２が形成されていても良い。また、金属シェル１を折り曲げて保持部を形成するのではなく、図８に示すように金属シェル１を貫通してピン８などを埋め込むことによってハウジングモールド３を金属シェルに固定するようにしても良い。
このように、本発明は様々な変形が可能である。
【図面の簡単な説明】
【００２６】
【図１】本発明を好適に実施したジャックコネクタの外観を示す図である。
【図２】本発明を好適に実施した第１の実施形態に係るジャックコネクタの断面図である。
【図３】ジャックコネクタを搭載した携帯端末の外観を示す図である。
【図４】ジャックコネクタにプラグを挿入した状態を示す図である。
【図５】本発明を好適に実施した第２の実施形態に係るジャックコネクタの断面図である。
【図６】テイル部の向きによる端子の変形抵抗の違いを示す図である。
【図７】金属シェルの端部以外を折り曲げて保持部を形成した構成を示す図である。
【図８】金属シェルを貫通してピンを埋め込むことによってハウジングモールドが金属シェルに固定された構造を示す図である。
【図９】本発明に関連するジャックコネクタの外観を示す図である。
【図１０】本発明に関連するジャックコネクタの断面図である。
【符号の説明】
【００２７】
１、１１    金属シェル
２、１２    保持部
３、１３    ハウジングモールド
４、１４    端子
４ａ、１４ａ    テイル部
４ｂ、１４ｂ    中間部
５    隙間
１５    はんだ付け切片
１６    スルーホールペグ
２０    基板
３０    プラグ
１００    ジャックコネクタ
【図１】
2009266411.tif 000003
【図２】
2009266411.tif 000004
【図３】
2009266411.tif 000005
【図４】
2009266411.tif 000006
【図５】
2009266411.tif 000007
【図６】
2009266411.tif 000008
【図７】
2009266411.tif 000009
【図８】
2009266411.tif 000010
【図９】
2009266411.tif 000011
【図１０】
2009266411.tif 000012